(57)【要約】【課題】利用者の布団を戸別に且つ利用者の住居の近くで殺菌及び脱臭することができる布団の殺菌脱臭車両を提供する。【解決手段】布団の殺菌脱臭車両１は、自走可能な車両１０であって、殺菌及び脱臭の対象となる布団２を保持する荷室部１２を備え、オゾンガス生成部２０で生成されたオゾンガスを荷室部１２に保持された布団２に供給して、布団２を殺菌及び脱臭する。【選択図】図１
0003202448.tif 000002
【実用新案登録請求の範囲】
【請求項１】
自走可能な車両であって、
殺菌及び脱臭の対象となる布団を保持する荷室部を備え、
オゾンガス生成部で生成されたオゾンガスを前記荷室部に保持された布団に供給して、前記布団を殺菌及び脱臭する布団の殺菌脱臭車両。
【請求項２】
請求項１に記載の布団の殺菌脱臭車両であって、
前記オゾンガス生成部は、
前記車両のアクセサリーソケットから供給される電力又は液体燃料を燃料とする小型発電機から供給される電力により駆動されること、
を特徴とする布団の殺菌脱臭車両。
【請求項３】
請求項１又は請求項２に記載の布団の殺菌脱臭車両であって、
オゾンガスによる殺菌及び脱臭の後、温風生成部からの温風を前記布団に送風して、前記布団に残留するオゾンを分解し、更に前記布団を乾燥させること、
を特徴とする布団の殺菌脱臭車両。
【請求項４】
請求項１から請求項３までのいずれか１項に記載の布団の殺菌脱臭車両であって、
前記荷室部に設けられ、前記布団の少なくとも中央部を略半筒形に保持可能なスタンドを備え、
前記スタンドに略半筒形に保持された前記布団の内部空間に向けて、前記オゾンガス生成部からオゾンガスが供給されること、
を特徴とする布団の殺菌脱臭車両。
【考案の詳細な説明】
【技術分野】
【０００１】
本考案は、布団を殺菌及び脱臭する布団の殺菌脱臭車両に関する。
【背景技術】
【０００２】
一般に、寝具として使用される布団は、人体から排出される汗等により雑菌が繁殖しやすいため、使用状況によっては異臭が生じることがある。そこで、布団にオゾンガスを供給して、殺菌及び脱臭を行う装置が提案されている（特許文献１、２参照）。
【先行技術文献】
【特許文献】
【０００３】
【特許文献１】特開２００８−３６４１３号公報
【特許文献２】特開２０１０−２２０９３２号公報
【考案の概要】
【考案が解決しようとする課題】
【０００４】
従来のオゾンガスにより布団の殺菌及び脱臭を行う装置は、装置自体が大掛かりであり、また高価でもあるため、一般家庭には普及していないのが現状である。また、布団のクリーニング業者に殺菌及び脱臭を委託する方法もある。しかし、利用者の目の届かない店舗又は工場において、他の利用者の布団と一緒に処理されるため、清潔感に敏感な利用者には、少なからず不快感を与えることになる。
【０００５】
本考案は、利用者の布団を戸別に且つ利用者の住居の近くで殺菌及び脱臭することができる布団の殺菌脱臭車両を提供することを目的とする。
【課題を解決するための手段】
【０００６】
本考案は、上記目的を達成するため、次に記載する構成を備えている。
（１）自走可能な車両であって、殺菌及び脱臭の対象となる布団を保持する荷室部を備え、オゾンガス生成部で生成されたオゾンガスを前記荷室部に保持された布団に供給して、前記布団を殺菌及び脱臭する布団の殺菌脱臭車両。
【０００７】
上記（１）によれば、布団の殺菌脱臭車両を利用者の住宅前等に駐車することができ、駐車させた場所で布団の殺菌及び脱臭を行うことができる。そのため、布団の殺菌脱臭車両は、利用者の布団を戸別に且つ利用者の住居の近くで殺菌及び脱臭することができる。
【０００８】
（２）、（１）において、前記オゾンガス生成部は、前記車両のアクセサリーソケットから供給される電力又は液体燃料を燃料とする小型発電機から供給される電力により駆動されることを特徴とする布団の殺菌脱臭車両。
【０００９】
上記（２）によれば、利用者の住宅等のコンセントから電力を取り出す必要がないため、場所を選ばずに布団の殺菌及び脱臭を行うことができる。
【００１０】
（３）（１）、（２）において、オゾンガスによる殺菌及び脱臭の後、温風生成部からの温風を前記布団に送風して、前記布団に残留するオゾンを分解し、更に前記布団を乾燥させることを特徴とする布団の殺菌脱臭車両。
【００１１】
上記（３）によれば、温風の送風により、布団の内部に残留したオゾンガスを分解すると共に、布団を乾燥させることができる。
【００１２】
（４）（１）〜（３）において、前記荷室部に設けられ、前記布団の少なくとも中央部を略半筒形に保持可能なスタンドを備え、前記スタンドに略半筒形に保持された前記布団の内部空間に向けて、前記オゾンガス生成部からオゾンガスが供給されることを特徴とする布団の殺菌脱臭車両。
【００１３】
上記（４）によれば、作業者が布団を手で保持することなしに、布団の内部にオゾンガスを供給させる空間を確保することができる。また、布団を常に同じ高さで保持することができるため、同じ大きさの布団であれば、オゾンガスに接する部分の面積をほぼ一定に保つことができる。そのため、殺菌及び脱臭した際の効果のばらつきを少なくすることができる。
【考案の効果】
【００１４】
本考案によれば、利用者の布団を戸別に且つ利用者の住居の近くで速やかに殺菌及び脱臭することができる。
【図面の簡単な説明】
【００１５】
【図１】第１実施形態における殺菌脱臭車両１の全体構成を説明する図である。
【図２】第１実施形態における殺菌脱臭車両１の概略構成を示すブロック図である。
【図３】オゾンガス生成部２０の構成を示すブロック図である。
【図４】スタンド３０の構成を説明する図である。
【図５】第２実施形態における殺菌脱臭車両１Ａの概略構成を示すブロック図である。
【図６】第３実施形態における殺菌脱臭車両１Ｂの概略構成を示すブロック図である。
【図７】第４実施形態における殺菌脱臭車両１Ｃの概略構成を示すブロック図である。
【考案を実施するための形態】
【００１６】
以下、本考案の実施形態を、図面を参照しながら説明する。
（第１実施形態）
図１は、本考案の第１実施形態における殺菌脱臭車両１の全体構成を説明する図である。図２は、本考案の第１実施形態における殺菌脱臭車両１の概略構成を示すブロック図である。
図１に示すように、第１実施形態における殺菌脱臭車両１は、車両１０と、オゾンガス生成部２０と、スタンド３０とを備えている。
【００１７】
車両１０は、運転席部１１及び荷室部１２を備えた、軽自動車である。車両１０は、シャーシ（不図示）の上に、運転席部１１と荷室部１２とが分離した状態で配置されている。
運転席部１１は、車両１０を運転する乗員が乗る部分である。車両１０を運転する乗員は、例えば、布団の殺菌及び脱臭サービスを提供するクリーニング業者（以下、「作業者」ともいう）である。
【００１８】
運転席部１１には、図２に示すように、アクセサリーソケット１１１と、インバータ１１２とが設けられている。アクセサリーソケット１１１は、車両１０から、例えば、１２Ｖの直流電圧を取り出すことができるソケットである。インバータ１１２は、アクセサリーソケット１１１から取り出された直流を交流に変換する電力変換装置である。アクセサリーソケット１１１に、インバータ１１２と電線Ｗ１を介して接続されたプラグ（不図示）を差し込むことにより、１２Ｖの直流電圧を取り出すことができる。
【００１９】
アクセサリーソケット１１１から取り出された直流電圧は、インバータ１１２により１００Ｖの交流電圧に変換された後、オゾンガス生成部２０に供給される。なお、インバータ１１２には、１００Ｖの交流電圧を取り出すためのソケット（不図示）が設けられている。このソケットに、オゾンガス生成部２０と電線Ｗ２で接続されたプラグ２７（図３参照）を差し込むことにより、インバータ１１２から電力を取り出すことができる。
【００２０】
荷室部１２は、布団２の殺菌脱臭時に、布団２が設置される部分である。図１に示すように、布団２の殺菌脱臭時において、布団２は、荷室部の床面Ｆに設置されたスタンド３０（後述）に保持される。布団２の殺菌脱臭時において、オゾンガス生成部２０は、車両１０の後方に設置される。また、殺菌脱臭車両１の移動時において、オゾンガス生成部２０は、スタンド３０と共に荷室部１２に収納される。
【００２１】
次に、オゾンガス生成部２０について説明する。
図３は、オゾンガス生成部２０の構成を示すブロック図である。
図３に示すように、オゾンガス生成部２０は、オゾン生成装置２１と、エアーポンプ２２と、高圧電源部２３と、温風ヒータ２４と、制御部２５と、操作パネル２６とを備えている。また、オゾンガス生成部２０は、メインダクトＤ１と、エアーダクトＤ２と、ガスダクトＤ３とを備えている。
【００２２】
オゾン生成装置２１は、無声放電方式によりオゾンを生成する装置である。オゾン生成装置２１は、一対の電極板２１１及び２１２と、その間に設けられた誘電体（不図示）と、を備えている。電極板２１１及び２１２の間に高圧電源部２３（後述）から直流電圧を印加すると、電極板の間に放電が生成し、オゾンＯＺが生成される。なお、オゾン生成装置２１は、本実施形態の無声放電方式に限らず、電気分解方式、紫外線照射方式等であってもよい。
【００２３】
オゾン生成装置２１は、エアー導入口２１３と、ガス排出口２１４とを備えている。エアー導入口２１３は、エアーポンプ２２から排出されたエアーＡを導入する部分である。エアー導入口２１３は、エアーダクトＤ２を介してエアーポンプ２２と接続されている。ガス排出口２１４は、オゾン生成装置２１で生成したオゾンＯＺを、エアーポンプ２２から供給されたエアーＡと共にオゾンガスＯＺＧとして排出する部分である。ガス排出口２１４は、ガスダクトＤ３を介してメインダクトＤ１と接続されている。
【００２４】
メインダクトＤ１は、オゾンガスＯＺＧ、温風ＨＷ（以下、オゾンガスＯＺＧ及び温風ＨＷを「オゾンガス等」ともいう）を布団２に向けて送風するパイプ状の部材である。オゾンガス等は、メインダクトＤ１の排出口Ｄ１ａから排出される。
【００２５】
エアーポンプ２２は、オゾン生成装置２１にエアーＡを送風する装置である。エアーポンプ２２から送風されたエアーＡは、エアーダクトＤ２を介してオゾン生成装置２１に供給され、オゾン生成装置２１で生成されたオゾンＯＺと共にオゾンガスＯＺＧとして排出される。エアーポンプ２２の動作は、制御部２５から電線Ｗ３を介して送信されるエアーポンプ駆動信号により制御される。
【００２６】
高圧電源部２３は、オゾン生成装置２１の電極板２１１及び２１２の間に高圧の直流電圧を印加する回路である。高圧電源部２３は、制御部２５を介して供給された交流電圧を直流電圧に変換して所定の電位まで昇圧させ、電線Ｗ４を介してオゾン生成装置２１に出力する。高圧電源部２３の動作は、制御部２５から電線Ｗ５を介して送信される電源駆動信号により制御される。
【００２７】
温風ヒータ２４は、温風を生成する装置である。温風ヒータ２４は、メインダクトＤ１の上流側に設けられている。温風ヒータ２４で生成された温風ＨＷは、メインダクトＤ１の内部を通過し、下流側の排出口Ｄ１ａから布団２に送風される。温風ヒータ２４の動作は、制御部２５から電線Ｗ６を介して送信されるヒータ駆動信号により制御される。
【００２８】
制御部２５は、オゾンガス生成部２０の動作を統括的に制御する回路であり、ＣＰＵ、メモリ等を含むマイクロプロセッサにより構成される。このマイクロプロセッサには、時間の計時を管理するタイマユニット（不図示）が組み込まれている。制御部２５には、インバータ１１２のソケット（不図示）から電力を取り出すためのプラグ２７が電線Ｗ２を介して接続されている。
【００２９】
また、制御部２５には、操作パネル２６が電線Ｗ７を介して接続されている。操作パネル２６は、作業者により操作される各種のスイッチのほか、ランプ、スピーカ等（いずれも不図示）を備えた装置である。
【００３０】
制御部２５は、作業者により操作パネル２６のオゾンガス供給スイッチ（不図示）が操作されると、エアーポンプ２２及び高圧電源部２３を制御して、オゾン生成装置２１で生成されたオゾンＯＺをオゾンガスＯＺＧとしてメインダクトＤ１から送風させる。同時に、制御部２５は、タイマユニットを起動して、時間の計時を開始する。制御部２５は、オゾン生成装置２１においてオゾンガスを生成している間、操作パネル２６のランプ（不図示）を点灯させ、作業者にオゾン生成装置２１が動作中であることを知らせる。
【００３１】
制御部２５は、タイマユニットの計時が予め設定された時間に達すると、エアーポンプ２２及び高圧電源部２３を制御して、オゾンガスの送風を停止する。また、制御部２５は、操作パネル２６のランプを消灯し、オゾンガス送風の作業終了を知らせる電子音を操作パネル２６のスピーカ（不図示）から出力させる。作業者は、オゾンガスの送風が完了した後、温風の送風を開始する。
【００３２】
制御部２５は、作業者により操作パネル２６の温風供給スイッチ（不図示）が操作されると、温風ヒータ２４を制御して、メインダクトＤ１から温風を送風させる。同時に、制御部２５は、タイマユニットを起動して、時間の計時を開始する。制御部２５は、温風を送風している間、操作パネル２６のランプを点灯させ、作業者に温風ヒータ２４が動作中であることを知らせる。なお、オゾンガスを送風している間に点灯させるランプと、温風を送風している間に点灯させるランプは、同じランプでもよいし、それぞれ別のランプでもよい。
【００３３】
制御部２５は、タイマユニットの計時が予め設定された時間に達すると、温風ヒータ２４を制御して、温風の送風を停止する。また、制御部２５は、操作パネル２６のランプを消灯し、温風送風の作業終了を知らせる電子音を操作パネル２６のスピーカから出力する。
【００３４】
上述したオゾンガス生成部２０を構成する各部は、図１に示すように、箱枠形の筐体２８部に収納されている。この筐体２８の下部には、４本の脚部２９が取り付けられている。
【００３５】
次に、スタンド３０について説明する。
図４は、スタンド３０の構成を説明する図である。図４（ａ）は、スタンド３０の正面図である。図４（ｂ）は、スタンド３０の側面図である。図４（ｃ）は、スタンド３０の平面図である。図４（ｄ）は、スタンド３０に布団を保持させた状態を示す斜視図である。
【００３６】
図４（ａ）〜（ｄ）に示すように、スタンド３０は、保持枠３１、３２及び３３と、連結材３４とを備えている。保持枠３１〜３３は、図４（ａ）に示すように、高さと幅が異なる略台形状の部材である。保持枠３１は、送風されるオゾンガス等の入口側に配置され、高さと幅が最も大きい。保持枠３３は、オゾンガス等の出口側に配置され、高さと幅が最も小さい。保持枠３２は、保持枠３１と保持枠３２との間に配置され、高さと幅が保持枠３１と保持枠３２との中間となる。
【００３７】
保持枠３１〜３３は、図４（ｂ）、（ｃ）に示すように、等間隔に配置されており、それぞれの中央部分が連結材３４により連結されている。オゾンガス等は、連結材３４の長手方向に沿って流入する。図４（ｂ）に示すように、保持枠３１〜３３は、オゾンガス等の流入する方向（入口側から出口側）向かって高さが低くなる。また、図４（ｂ）に示すように、保持枠３１〜３３は、オゾンガス等の流入する方向（入口側から出口側）向かって幅が狭くなる。このように、スタンド３０は、オゾンガス等の流入する方向において、徐々に空間が小さくなるように構成されている。これによれば、布団２を保持したスタンド３０に流入したオゾンガス等は、出口側から排出されにくくなるため、オゾンガス等をスタンド３０の内部により長く滞留させることができる。
なお、保持枠３１〜３３及び連結材３４は、ステンレス、アルミ等の金属材料、耐熱性プラスティック等の樹脂材料により構成される。
【００３８】
図４（ｄ）に示すように、スタンド３０の上に布団２を載せると、布団２は、中央部が荷室部１２の床面Ｆから持ち上げられた状態（内部空間ができた状態）でスタンド３０に保持される。このように、スタンド３０の上に布団２を載せると、布団２の少なくとも中央部が略半筒形に保持される。オゾンガス生成部２０から送風されたオゾンガス等は、スタンド３０の入口側（保持枠３１）から出口側（保持枠３３）に向かって流入する。本実施形態のスタンド３０は、図４（ｂ）、（ｃ）に示すように、オゾンガス等の入口側から出口側に向って、保持枠の高さと幅が徐々に小さくなるため、スタンド３０の内部に流入したオゾンガス等をスタンド３０の内部により長く滞留させることができる。
【００３９】
次に、本実施形態の殺菌脱臭車両１を用いた布団２の殺菌及び脱臭について説明する。
まず、作業者は、利用者の住宅前等に車両１０を駐車し、図１に示すように、荷室部１２（車両１０）の後部ドア１２１を開けて、スタンド３０に布団２を載せる。スタンド３０は、荷室部１２において、最も大きい保持枠３１が手前側（後部ドア側）となるように設置されている。次に、オゾンガス生成部２０を荷室部１２の後方に設置し、メインダクトＤ１の排出口Ｄ１ａ（図３参照）がスタンド３０の内部空間に向くように位置を調節する。
【００４０】
次に、作業者は、電線Ｗ２を介して接続されたプラグ２７（図３参照）を運転席部１１に設置されたインバータ１１２のソケット（不図示）に差し込み、更にインバータ１１２と電線Ｗ１を介して接続されたプラグ（不図示）を運転席部１１のアクセサリーソケット１１１（図２参照）に差し込む。これにより、オゾンガス生成部２０が動作可能な状態となる。
【００４１】
次に、作業者は、操作パネル２６のオゾンガス供給スイッチを操作して、オゾンガス生成部２０（オゾン生成装置２１）で生成されたオゾンガスを布団２に向けて送風させる。作業者が操作パネル２６のオゾンガス供給スイッチを操作すると、タイマユニット（制御部２５）による計時がスタートする。オゾンガスの送風は、タイマユニットの計時が予め設定された時間に達するまで継続される。オゾンガス生成部２０からオゾンガスが送風されている間、操作パネル２６のランプが点灯する。
オゾンガス生成部２０から布団２にオゾンガスが送風されると、布団２の内部に存在する臭気成分等がオゾンにより分解（脱臭）されると共に、同じく布団２の内部に存在する雑菌がオゾンの酸化作用により殺菌される。
そして、タイマユニットの計時が予め設定された時間に達すると、操作パネル２６のランプが消灯し、オゾンガス送風の作業終了を知らせる電子音が発せられる。
【００４２】
次に、作業者は、操作パネル２６の温風供給スイッチを操作して、温風ヒータ２４で生成された温風をオゾンガス生成部２０から布団２に送風させる。作業者が操作パネル２６の温風供給スイッチを操作すると、タイマユニット（制御部２５）による計時がスタートする。温風の送風は、タイマユニットの計時が予め設定された時間に達するまで継続される。オゾンガス生成部２０から温風が送風されている間、操作パネル２６のランプが点灯する。
【００４３】
オゾンガス生成部２０から布団２に温風が送風されると、布団２の内部に残留したオゾンガスが分解され、酸素に戻される。また、温風を送風することにより、布団２を乾燥させることができる。
そして、タイマユニットの計時が予め設定された時間に達すると、操作パネル２６のランプが消灯し、温風送風の作業終了を知らせる電子音が発せられる。
なお、必要に応じて、スタンド３０に保持されている布団２の表裏を入れ替え、上述したオゾンガスと温風の送風を再度実行してもよい。
【００４４】
以上により、布団２の殺菌及び脱臭が完了する。この後、作業者は、車両１０のアクセサリーソケット１１１からインバータ１１２のプラグ（不図示）を引き抜くと共に、インバータ１１２のソケット（不図示）からプラグ２７を引き抜いて、オゾンガス生成部２０を荷室部１２に収納することにより、殺菌脱臭車両１を移動させることができる。
【００４５】
上述した本実施形態の殺菌脱臭車両１によれば、以下のような効果を奏する。
（１）殺菌脱臭車両１は、利用者の住宅前等に駐車することができ、駐車させた場所で布団２の殺菌及び脱臭を行うことができる。そのため、殺菌脱臭車両１は、利用者の布団２を戸別に且つ利用者の住居の近くで殺菌及び脱臭することができる。
【００４６】
（２）殺菌脱臭車両１は、オゾンガスによる殺菌及び脱臭が終了した布団２に対して、温風を送風することができる。そのため、殺菌脱臭車両１は、布団２の内部に残留したオゾンガスを分解すると共に、布団２を乾燥させることができる。
【００４７】
（３）利用者は、殺菌脱臭車両１による布団２の殺菌及び脱臭中、オゾンガスの影響を回避するために自宅から離れる必要がない。そのため、殺菌脱臭車両１は、自宅からの移動が難しい高齢者、身体障害者が布団２の殺菌及び脱臭を利用する際の利便性を高めることができる。
【００４８】
（４）殺菌脱臭車両１は、布団２の殺菌及び脱臭を、利用者の目の届く範囲で且つ他の利用者の布団と一緒にすることなしに実施できる。そのため、殺菌脱臭車両１は、布団２の殺菌及び脱臭において、清潔感に敏感な利用者に不快感を与えることがない。
【００４９】
（５）作業者は、殺菌脱臭車両１を利用者の自宅前等に駐車した後、速やかに布団２の殺菌及び脱臭を開始することができる。また、作業者は、布団２の殺菌及び脱臭が終了した後、布団２を速やかに利用者に返却することができる。そのため、殺菌脱臭車両１は、布団２の殺菌及び脱臭を店舗又は工場で実施する場合に比べて、利用者の待ち時間を短縮することができる。
【００５０】
（６）殺菌脱臭車両１は、車両１０のアクセサリーソケット１１１から供給される電力によりオゾンガス生成部２０を駆動することができる。これによれば、利用者の住宅等のコンセントから電力を取り出す必要がないため、場所を選ばずに布団２の殺菌及び脱臭を行うことができる。
【００５１】
（７）殺菌脱臭車両１のスタンド３０は、布団２の少なくとも中央部を略半筒形に保持することができる。そのため、作業者が布団２を手で保持することなしに、布団２の内部にオゾンガス等を流入させる空間を確保することができる。また、スタンド３０は、布団２を常に同じ高さで保持することができるため、同じ大きさの布団２であれば、オゾンガス等に接する部分の面積をほぼ一定に保つことができる。そのため、殺菌及び脱臭効果のばらつきを少なくすることができる。更に、スタンド３０は、オゾンガス等の流入する方向において、徐々に空間が小さくなるように構成されているため、オゾンガス等をスタンド３０の内部により長く滞留させることができる。
【００５２】
（第２実施形態）
図５は、本考案の第２実施形態における殺菌脱臭車両１Ａの概略構成を示すブロック図である。
なお、以下に説明する各実施形態の説明及び参照する図面において、第１実施形態と同等の機能を果たす部材、装置等には、第１実施形態と同一の符号を付し、重複する説明を省略する。
【００５３】
図５に示すように、第２実施形態の殺菌脱臭車両１Ａは、車両１０のアクセサリーソケット１１１から供給される電力の代わりに、小型発電機４０で発電された電力によりオゾンガス生成部２０を駆動する点が第１実施形態と相違する。
小型発電機４０は、例えば、ガソリン等の液体燃料によりエンジン（不図示）を駆動し、その回転力により発電機（不図示）を駆動して発電する装置である。小型発電機４０は、例えば、インバータ発電機であってもよい。
【００５４】
第２実施形態の殺菌脱臭車両１Ａでは、小型発電機４０で発電した電力によりオゾンガス生成部２０を駆動するため、車両１０のアクセサリーソケット１１１から供給される電力でオゾンガス生成部２０を駆動する場合に比べて、殺菌及び脱臭を、車両１０の電源の制約を受けることなく行うことが可能となる。そのため、例えば、集合住宅等において、車両１０の電源に負担をかけることなしに、多数の利用者の布団の殺菌及び脱臭を連続して行うことができる。
また、小型発電機４０は、オゾンガス生成部２０及びスタンド３０と共に荷室部１２に収納することができるため、殺菌脱臭車両１Ａを移動する際の利便性を高めることができる。
【００５５】
（第３実施形態）
図６は、本考案の第３実施形態における殺菌脱臭車両１Ｂの概略構成を示すブロック図である。
図６に示すように、第３実施形態の殺菌脱臭車両１Ｂは、車両１０Ｂにおける荷室部１２Ｂの全長が、第１実施形態の殺菌脱臭車両１の車両１０における荷室部１２よりも長い点が第１実施形態と相違する。
【００５６】
第３実施形態の殺菌脱臭車両１Ｂは、荷室部１２Ｂの中に、オゾンガス生成部２０及びスタンド３０を設置した状態で布団２の殺菌及び脱臭を行うことができる。布団２の殺菌及び脱臭を行う際には、車両１０Ｂの後部ドア（不図示）を開けた状態で作業をしてもよいし、後部ドアを閉じた状態で作業を行ってもよい。後部ドアを閉じた状態で作業を行った場合、荷室部１２Ｂの内部が密閉状態となるため、オゾンガスによる殺菌及び脱臭の効果をより高めることができる。
【００５７】
なお、第３実施形態の殺菌脱臭車両１Ｂにおいて、オゾンガス生成部２０を駆動する電力は、第１実施形態のようにアクセサリーソケット１１１から供給された電力でもよいし、第２実施形態のように、小型発電機４０で発電した電力でもよい。
【００５８】
（第４実施形態）
図７は、本考案の第４実施形態における殺菌脱臭車両１Ｃの概略構成を示すブロック図である。
図７に示すように、第４実施形態の殺菌脱臭車両１Ｃは、車両１０Ｃにおいて、運転席部１１Ｃと荷室部１２Ｃとが一体化されている点が第１実施形態と相違する。
【００５９】
第４実施形態の殺菌脱臭車両１Ｃでは、運転席部１１Ｃと荷室部１２Ｃとの間がカーテン１２２により仕切られている。このように、運転席部１１Ｃと荷室部１２Ｃとの間にカーテン１２２を設けることにより、布団の殺菌及び脱臭中にオゾンガスが運転席部１１Ｃ側に漏れるのを抑制することができる。また、運転席部１１Ｃと荷室部１２Ｃとの間にカーテン１２２を設けることにより、荷室部１２Ｃの密閉性を第１実施形態の荷室部１２に近づけることができる。
【００６０】
なお、第４実施形態の殺菌脱臭車両１Ｃにおいて、オゾンガス生成部２０を駆動する電力は、第１実施形態のようにアクセサリーソケット１１１から供給された電力でもよいし、第２実施形態のように、小型発電機４０で発電した電力でもよい。
【００６１】
以上、本考案の各実施形態について説明したが、本考案は、前述した実施形態の構成に限定されるものではなく、後述する変形形態のように種々の変形や変更が可能であって、それらも本考案の技術的範囲内である。また、実施形態に記載した効果は、本考案から生じる最も好適な効果を列挙したに過ぎず、実施形態に記載した効果に限定されない。なお、前述した実施形態及び後述する変形形態の構成は、適宜に組み合わせることもできるが、詳細な説明は省略する。
【００６２】
（変形形態）
本変形形態において、「実施形態」とは、第１実施形態〜第４実施形態を含むものとする。そのため、例えば、車両１０は、車両１０Ｂ、車両１０Ｃであってもよい。
（１）上述した実施形態において、タイマユニット（制御部２５）によるオゾンガス送風の計時が予め設定された時間に達したときに、温風送風の計時をスタートさせるようにしてもよい。このように、オゾンガス送風と温風送風とを自動的に連動させた場合は、オゾンガス送風が完了した後、速やかに温風送風を開始させることができるため、利用者の待ち時間をより短縮することができる。
【００６３】
（２）上述した実施形態において、スタンド３０の保持枠３１〜３３は、略台形状に限らず、略四角形状、半円形状等であってもよい。すなわち、スタンド３０は、図４（ｄ）に示すように、布団２の少なくとも中央部を略半筒形に保持可能であれば、どのような形状であってもよい。
【００６４】
（３）上述した実施形態において、メインダクトＤ１の排出口Ｄ１ａ（図３参照）に蛇腹状の延長ダクトを接合し、この延長ダクトをスタンド３０の内部に差し入れてオゾンガス等を送風してもよい。このような延長ダクトを設けた場合、オゾンガス生成部２０を車両１０から離れた場所に設置することができる。
【００６５】
（４）上述した実施形態において、車両１０は、軽自動車を例として説明したが、これに限らず、ミニバン、ステーションワゴン等であってもよい。すなわち、車両１０は、オゾンガス生成部２０及びスタンド３０を収納可能な荷室部を備えていれば、どのようなタイプの自動車であってもよい。
【符号の説明】
【００６６】
１    殺菌脱臭車両
１０    車両
１２    荷室部
２０    オゾンガス生成部
２４    温風ヒータ
３０    スタンド
４０    小型発電機
１１１    アクセサリーソケット
【図１】
0003202448.tif 000003
【図２】
0003202448.tif 000004
【図３】
0003202448.tif 000005
【図４】
0003202448.tif 000006
【図５】
0003202448.tif 000007
【図６】
0003202448.tif 000008
【図７】
0003202448.tif 000009